(57)【特許請求の範囲】
【請求項１】
データを記録、再生するディスク面のうちデータの記録、再生に使用しない部分、または、前記ディスク面と反対側のディスク面に所定の間隔を設けて複数本の溝が形成されると共に、これらの各溝と交差する方向に曲率を有してディスク面が変形していることを特徴とする光ヘッドテスト用の変形ディスク。
【請求項２】
前記溝がデータを記録、再生するディスク面と反対側のディスク面に形成されていることを特徴とする請求項１記載の変形ディスク。
【請求項３】
前記溝がデータを記録、再生するディスク面のうちデータの記録、再生に使用しない部分に形成されていることを特徴とする請求項１記載の変形ディスク。
【請求項４】
前記溝が直線状に形成されると共に、ディスク面上の当該溝と交差する方向に沿ってディスク面が上または下方向に湾曲していることを特徴とする請求項２又は３に記載の変形ディスク。
【請求項５】
前記溝がディスク中心に対して同心円状に形成され、皿状あるいは傘状に変形していることを特徴とする請求項２又は３に記載の変形ディスク。
【請求項６】
前記溝が直線、曲線、楕円、円を適宜用いて任意の軌跡形状を形成して所望の形状に変形していることを特徴とする請求項２又は３に記載の変形ディスク。
【請求項７】
前記溝が粗密に形成され、ディスクの場所に応じて変形率を変化させたことを特徴とする請求項４ないし６のいずれか１項に記載の変形ディスク。
【請求項８】
前記溝に接着剤が挿入されていることを特徴とする請求項４ないし６のいずれか１項に記載の変形ディスク。
【請求項９】
前記ディスクは、２枚のディスクを張り合わせ内側の面にデータが記録される張り合わせディスクであることを特徴とする請求項１記載の変形ディスク。
【請求項１０】
データを記録、再生するディスク面のうちデータの記録、再生に使用しない部分、または、前記ディスク面と反対側のディスク面に螺旋状の溝が形成され、溝と交差する方向に曲率を有してディスク面が変形していることを特徴とする光ヘッドテスト用の変形ディスク。
【請求項１１】
前記溝が破線状に形成されていることを特徴とする請求項１ないし１０のいずれか１項に記載の変形ディスク。
【請求項１２】
前記溝が点状に形成されていることを特徴とする請求項１ないし１０のいずれか１項に記載の変形ディスク。
【請求項１３】
データを記録、再生するディスク面のうちデータの記録、再生に使用しない部分、または、前記ディスク面と反対側のディスク面にランダムに破線状の溝又は点の集合が形成されて任意の形状にディスク面が変形していることを特徴とする光ヘッドテスト用の変形ディスク。
【発明の詳細な説明】
【０００１】
【発明の属する技術分野】
本発明は、光ヘッドテスト用の変形ディスクに係り、特にＤＶＤディスクのように２枚を張り合わせたディスクを使用する光ヘッド側の測定、調整、検査等のテスト用として好適な変形ディスクに関する。
【０００２】
【従来の技術】
光ディスクの基板材料としては、光の透過率がよいこと、加工し易いこと、加工後の機械的、熱的変形が少ないこと、湿度による影響を受け難いこと、経済性がよいことなどの種々の要件を勘案して、樹脂が多く用いられている。
【０００３】
この樹脂を用いたディスク基板成形の加工技術としては、コンプレッション法、インジェクション法、インジェクション・コンプレッション法、２Ｐ法等あるが、何れのディスク加工技術を用いるにしても、加工時の条件、機材の精度などにより、多少の変形が生じる。
【０００４】
このディスクの変形に関しては、反り、面ぶれ加速度、偏心、偏心加速度等の機械特性値がＤＶＤ規格書にて詳細に決められている。しかし、現実には規格ぎりぎりの製品が市場に出回っているのが実状である。
【０００５】
このような、ディスクの変形の如何によらず、記録・再生動作を可能とするには、光ヘッド側の記録・再生性能を向上させる必要があり、そのためにも面ぶれ、偏心など種々の変形ディスクを使用しての光ヘッド側のフォーカスサーボ、光学特性などの種々の測定、調整、検査が必要になる。
【０００６】
【発明が解決しようとする課題】
上記のように、変形ディスクはあくまでも光ヘッド部品の評価、検査及びそれを利用したハードウェアの測定、調整、検査等のテスト用として必要になるもので、部品メーカやハードウェアメーカにに限られるため、変形種別の多い割には数量が少ない。このため、変形ディスクを作るために加工設備を設けても採算に合わない。
【０００７】
そこで、従来は市販のディスクに機械的力と熱を加えて、所望の変形ディスクを得ていた。基板１枚のＣＤディスクの場合はそれでも良いが、ＤＶＤディスクのように変形を防ぐため２枚の基板を張り合わせて形成したディスクは、もともと変形を防止するように作製されたものであるため、機械的力と熱を加えても所望の変形ディスクを得ることができなかった。
【０００８】
本発明は、上記の点に鑑みなされたもので、特にＤＶＤディスクのように変形を防ぐため２枚の基板を張り合わせて形成したディスクを所望の形状に変形させたテスト用の変形ディスクを提供せんとするものである。
【０００９】
【課題を解決するための手段】
本発明の変形ディスクは、データを記録、再生するディスク面のうちデータの記録、再生に使用しない部分、または、前記ディスク面と反対側のディスク面に所定の間隔を設けて複数本の溝が形成されると共に、これらの各溝と交差する方向に曲率を有してディスク面が変形していることを特徴とするものである。
【００１０】
この場合、前記溝はデータを記録、再生するディスク面と反対側のディスク面に形成することにより、記録再生面に対する影響を防止することが出来る。
【００１１】
しかし、ディスクの記録再生面にテスト時使用しない個所が存在すれば、前記溝は記録再生面の当該個所に形成してあっても差し支えない。
【００１２】
前記溝をディスク中心に対して同心円状に形成することによって、従来困難視されていた皿状あるいは傘状に変形した変形ディスクが簡単に得られる。
【００１３】
また、前記溝を直線状、あるいは、直線、曲線、楕円、円を適宜組み合わせて形成することにより、複雑な形状に変形した種々の変形ディスクが簡単に得られるようになる。
【００１４】
その際、前記溝を粗密に形成することにより、ディスクの変形率を場所に応じて変化させることができる。
【００１５】
前記溝には必要に応じて接着剤を入れて硬化させれば、変形度合いを適宜コントロールすることが出来る。
【００１６】
以上の変形ディスクは、ＤＶＤ装置などの張り合わせディスクを用いる記録再生装置における種々の性能測定、検査、調整等のテスト用として有用なものである。
【００１７】
【発明の実施の形態】
以下、本発明の実施の形態について図面を参照しながら詳細に説明する。図１は、本発明によるＤＶＤ等の張り合わせディスクを示し、（ａ）はその平面図、（ｂ）はそのＡ−Ａ断面図、図２は図１（ｂ）の部分拡大図である。
【００１８】
これらの図に示すように、ＤＶＤディスク１は、２枚の透明なＰＣ（ポリカーボネート）基板１ａ、１ｂが、ＵＶ樹脂（紫外線硬化型樹脂）や両面接着光学テープ等で形成される中間接着層２で、基板１ａ、１ｂの厚みは約０．６ｍｍ、中間接着層２の厚みは６０μｍほどで、機械的に極めて安定に形成されている。
【００１９】
このＤＶＤディスク１の第１の記録再生面３ａは基板１ａ側、また、第２の記録再生面３ｂは基板１ｂ側の共に２枚の基板が張り合わされた内側に形成されている。
【００２０】
このＤＶＤディスク１を皿形状あるいは傘形状に変形させるため、記録再生面と反対側の裏面にレーザで同心円状に溝１０を形成する。このとき、レーザで形成する溝は、記録再生面３ａに影響を及ぼさない程度の深さに形成する必要がある。勿論、レーザ以外の穿設手段で溝を形成することも可能である。
【００２１】
図３は、上記のようにして溝１０を形成したＤＶＤディスク１を皿形状あるいは傘形状に変形させるための治具４を示したもので、（ａ）はその平面図、（ｂ）はそのＢ−Ｂ断面図、（ｃ）はそこに用いられる押さえ片の側面図である。
【００２２】
このディスク変形治具４は、ＤＶＤディスク１の外周縁部を支持する段部５ａを有する枠体５と、枠体５の底部中心位置に交換可能に固定される突起片６と、この突起片６の中心部に形成されたネジ孔６ａに螺合するネジ７ａを有するディスク押さえ片７とから構成される。
【００２３】
ＤＶＤディスク１を皿形状に変形する工程は、先ず、図４に示すように、治具４の円筒状枠体５の内周上面に形成された段部５ａ上に溝１０入りＤＶＤディスク１の外周縁を乗せる。
【００２４】
次いで、図５に示すように、ＤＶＤディスク１の上側からディスク押さえ片７の凸部７ｂをディスク孔１ｃに嵌合させた状態で、ネジ部７ａを突起片６のネジ孔６ａに螺合させ、締め付ける。このとき、ディスク裏面には溝１０が形成されていることから、ＤＶＤディスク１は簡単に変形させることが出来る。
【００２５】
この状態で、炉に入れて２−１２時間前後、４０−８０℃の温度に保持すると、図６の断面図に示すように、記録再生面側が凸状の皿形状に変形したディスクが得られる。
【００２６】
ところで、上記の変形ディスク作製方法では、治具４にＤＶＤディスク１をセットする際にディスク裏面を上にしてセットしたが、ディスク記録再生面を上にし、溝１０が形成された裏面を下にしてセットして、上記工程同様にしてＤＶＤディスク１を変形させれば、図７の部分断面図に示すように、記録再生面が凹状の傘形状に変形したディスクが得られるようになる。
【００２７】
また、上記ディスク変形法によりＤＶＤディスク１を変形させる際に、図８に示すように、溝１０内に接着剤８を入れて変形し、これを炉内に入れて熱を加えて接着剤８を硬化させるようにすれば、形状をコントロールすることが出来る。
【００２８】
このとき突起片６の高さ寸法を変えることにより、ＤＶＤディスク１の変形度合いを変えることができ、突起片６が高ければ浅く、低ければ深く湾曲した皿状のディスクが得られる。
【００２９】
また、溝１０を等間隔に形成すれば変形が一様になるが、粗密に形成することにより変形率を場所毎に変えることができ、歪みのある皿状ディスクを作製することが出来る。
【００３０】
このような変形ディスクを大量に作製したい場合は、図９の内開きの平面図及び図１０の閉じる手前の断面図に示すディスク変形装置を用いればよい。
【００３１】
即ち、このディスク変形装置は、多数のＤＶＤディスク１をセットすることが出来るように形成された基台１３と、この基台１３に開閉自在に設けられた押さえ蓋１６とから構成される。
【００３２】
基台１３は、ＤＶＤディスク１の外周縁を支持する段部１１ａ付き円筒が多数形成された台座１１と、その円筒底部にネジ等で固定される下突起片１２とからなる。
【００３３】
また、押さえ蓋１６は、押板１４と、この押板１４にネジ等で固定され、先端部にディスク孔１ｃに嵌合する嵌合部１５ａが形成されてＤＶＤディスク１の中央部を下突起片１２に押しつける上突起片１５からなる。
【００３４】
このＤＶＤディスク１を大量に変形させてテスト用変形ディスクを作製する工程は、前述したようにディスク裏面に溝１０を形成したＤＶＤディスク１外周縁を各段部１１ａにセットする。
【００３５】
次いで、押さえ蓋１６を基台１３上に押しつけるようにセットすれば、押さえ蓋１６の内側に形成された上突起片１５の先端部１５ａがセットされたＤＶＤディスクの中心孔１ｃに嵌合してディスク中央部を下突起片１２に押しつける。
【００３６】
これにより、ディスク外周縁が段部１１ａで支持された状態で、中央部がそれより低い下突起片１２に押しつけられて、ディスク変形装置にセットされたＤＶＤディスクは皿状に湾曲する。
【００３７】
したがって、この状態でディスク変形装置全体を炉に入れるなどして、２−１２時間前後４０−８０℃の温度に保持することにより、全て一様の皿状に変形したディスクが得られるようになる。
【００３８】
この場合、ディスク変形装置にヒータを組み込んで、内部を加熱するようにしても良い。また、下突起片１２と上突起片１５は、適宜高さ寸法を選択して取り付けることにより、それぞれ曲率の異なる変形ディスクが得られる。
【００３９】
また、溝１０の間隔を粗密にしたＤＶＤディスク１を台座１１の段部１１ａにセットすることにより、場所により異なる曲率で皿状に湾曲したディスクが得られるようになる。
【００４０】
ところで、ＤＶＤディスク１の裏面に形成する溝１０はディスク中心と同心円状に形成したものに限る必要はなく、例えば図１１に示すように、直線状に形成すれば、ディスク外周の一端部から他端部にかけて変形した変形ディスクが得られる。
【００４１】
即ち、ＤＶＤディスク１の裏面に溝１０を形成すると、ＤＶＤディスク１は溝１０と直交する方向に曲率を以て曲がりやすくなるので、変形させたい曲率方向と交差する方向に適宜溝を形成することにより、所望の形状に変形させた変形ディスクを得ることができるようになる。
【００４２】
ＤＶＤディスク１を変形する治具としては、図３で説明したものに限らず、例えば、図１２に示すように、上下２個の部品からなる円筒治具２０でＤＶＤディスク１の外周を挟み込んで変形させるようにしても良い。
【００４３】
即ち、円筒治具２０は、図１２（ａ）の断面図及び図１２（ｂ）のＥ部拡大断面図で示すように、円筒治具下部２１と円筒治具上部２２とを備え、円筒治具下部２１の上面は、所定の傾斜を有する円筒面に形成されて、その内径側にはＤＶＤディスク１を挟み込むための段部２１ａが形成されている。また、円筒治具下部２１の底部中央位置には、ネジ孔の形成された台座２３が固着されている。
【００４４】
一方、上部円筒部材２２の上面は、円筒治具下部２１の円筒面と合致する円筒面に形成され、その内径側には段部２１ａに対応する段部２２ａが形成されている。また、円筒治具上部２２の上面中央位置には、円筒治具下部２１に円筒治具上部２２を接合させる係合部材２５に固設されたピン２４が摺動自在に貫通する貫通孔２２ｂが形成されている。
【００４５】
この円筒治具２０を用いてＤＶＤディスク１を変形させる場合は、ピン２４を円筒治具上部２２の中央孔２２ｂに通し、更に所定の溝１０を形成させたＤＶＤディスク１の中央孔１ｃに通して、その先端部に形成されたネジ部を台座２３のネジ孔に螺合させる。
【００４６】
さらに、円筒治具下部２１と円筒治具上部２２の円筒面を合致させ、ＤＶＤディスク１の外周部を円筒治具下部２１と円筒治具上部２２の段部２１ａ、２２ａに挟み込むようにして係合部材２５を回し、ピン２４のネジ部を台座２３のネジ孔にねじ込んでいくと、円筒治具下部２１と円筒治具上部２２との円筒面に形成される接合形状に対応して変形したディスクが製作できる。
【００４７】
このように、ＤＶＤディスク１に形成する溝の軌跡形状を直線形状、楕円形状、曲線形状、ＤＶＤディスク１の中心孔１ｃとずれた円形状等任意の形状に形成すると共に、変形治具も適宜なものを選択することにより、任意の形状に変形させた変形ディスクが作製することが出来、例えば図１３に示すごとき変形ディスクも簡単に得られる。
【００４８】
なお、上記説明では、ディスクを変形しやすくするための溝１０をデータの記録、再生に影響しないディスク裏面に形成するように説明したが、記録再生面を部分的に使用しないでもテスト可能な場合は、その使用しない記録再生面に溝１０を形成してディスク１を変形させるようにしても良い。
【００４９】
また、ディスク面に形成する溝１０は、図１では同心円状に複数の円を形成した例について示したが、図１４に示すように１本の螺旋状の溝１０に形成しても良い。
【００５０】
ところで、以上に述べた実施例においては、いずれも溝を連続線状に形成した例について説明したが、これらの溝は、破線状に形成しても良く、また、点状に形成しても良く、さらにはそれらの組み合わせで形成することもできる。
【００５１】
また、テスト時のデータの記録再生に影響しないディスク裏面、あるいは、記録再生面を部分的に使用しないでもテスト可能な場合は、その使用しない記録再生面に、ランダムに破線状の溝または点、あるいは、それらを組み合わせた集合を形成することにより、任意の形状にディスク面を変形させるようにしても良い。
【００５２】
【発明の効果】
以上のように本発明によれば、従来、変形させること自体極めて難しいと思われていた張り合わせディスクを所望の形状に変形させた変形ディスクが極めて簡単、確実に得られるようになる。
【図面の簡単な説明】
【図１】本発明の一実施形態に係る溝入張り合わせディスクの説明図で、（ａ）は、ディスク裏面から見た平面図、（ｂ）は、そのＡ−Ａ断面図。
【図２】図１の一部分を拡大した断面図。
【図３】ディスクを変形させるための治具を示したもので、（ａ）はその平面図、（ｂ）はそのＢ−Ｂ断面図、（ｃ）はそこに用いられる押さえ片の側面図。
【図４】ディスク変形治具に張り合わせディスクをセットした状態を示す断面図。
【図５】図４の張り合わせディスクをディスク押さえ片７を用いて変形させた状態を示す断面図。
【図６】張り合わせディスクを皿形状に湾曲させた変形ディスクの部分拡大断面図。
【図７】張り合わせディスクを傘形状に湾曲させた変形ディスクの部分拡大断面図。
【図８】張り合わせディスクを皿形状に湾曲させる際、溝に接着剤を入れて固化させた変形ディスクの部分拡大断面図。
【図９】変形ディスクを大量に作製するためのディスク変形装置の内開きの平面図。
【図１０】図９に示すディスク変形装置の蓋を閉じる直前の断面図。
【図１１】張り合わせディスクの裏面に溝を直線状に形成した状態を示す説明図。
【図１２】ディスクを変形させるための円筒状治具を示したもので、（ａ）は断面図、（ｂ）はＥ部拡大断面図。
【図１３】変形ディスクの一例を示す断面図。
【図１４】張り合わせディスクの裏面に溝を螺旋状に形成した状態を示す説明図。
【符号の説明】
１  ＤＶＤディスク
２  ＵＶ樹脂（紫外線硬化型樹脂）
８  接着剤
１０  溝
【図１】
0003750560.tif 000002
【図２】
0003750560.tif 000003
【図３】
0003750560.tif 000004
【図４】
0003750560.tif 000005
【図５】
0003750560.tif 000006
【図６】
0003750560.tif 000007
【図７】
0003750560.tif 000008
【図８】
0003750560.tif 000009
【図９】
0003750560.tif 000010
【図１０】
0003750560.tif 000011
【図１１】
0003750560.tif 000012
【図１２】
0003750560.tif 000013
【図１３】
0003750560.tif 000014
【図１４】
0003750560.tif 000015